(57)【要約】【課題】蓋体の気密性を確保しかつ容器内圧上昇による蓋体の外れを確実に防止できる染毛料容器を提供する。【解決手段】染毛料を収容する本体と、染毛料を塗布するための塗布体と、前記塗布体を覆うように前記本体に嵌合する非円形型のキャップを有する染毛料容器において、本体に突起を設け、キャップには前記突起の上端面を覆う爪部と、前記爪部の下端に内方に押圧することで前記爪部を外方に開放可能な操作部とを設けた。【選択図】図４
2020022747.tif 000002
【特許請求の範囲】
【請求項１】
染毛料を収容する本体と、染毛料を塗布するための塗布体と、前記塗布体を覆うように前記本体に嵌合するキャップを有する染毛料容器において、
本体に突起を設け、キャップには前記突起の上端面を覆う爪部と、前記爪部の下端に内方に押圧することで前記爪部を外方に開放可能な操作部とを設けたことを特徴とする染毛料容器。
【請求項２】
爪部は非円形型のキャップ長辺側の両端に形成され、前記操作部の両端に溝が形成されていることを特徴とする請求項１に記載の染毛料容器。
【請求項３】
キャップ嵌合力Ａ（Ｎ）は取り外しに必要な着脱力Ｂ（Ｎ）に対し、Ａ＞５Ｂを満たすことを特徴とする請求項１又は２に記載の染毛料容器。
【請求項４】
低級アルコール１５〜８０質量％と水５質量％以上とを少なくとも含み、ｐＨを２〜５、粘度が１００ｍＰａ・ｓ未満に調整してなる染毛料が中綿に含浸していることを特徴とする請求項１から３のうちの１項に記載の染毛料容器。
【発明の詳細な説明】
【技術分野】
【０００１】
本発明は、染毛剤等の髪用化粧料を塗布する染毛料容器に関するものであり、容器本体に取り付けられ、髪（人間、その他のペット動物等を含む毛髪）を梳きながら容器に収容した塗布液（染毛剤、整髪剤、育毛剤等）を髪に塗布するための染毛料容器に関するものである。
【背景技術】
【０００２】
従来、容器に収容した染毛剤などをその容器に取り付けた櫛部の櫛歯間に導入して、この櫛部で髪を梳くことによって髪を染める染毛料容器が知られている。
【０００３】
大容量の染毛料容器を設けた染毛料容器において、特許文献１では、直液式の塗布液タンクから塗布部の多孔質塗布体に塗布液を供給する塗布液供給路の周囲に、塗布液を一時貯留する中綿を設けて余剰の液の漏れを防止している髪用塗布具が示されている。前記塗布液タンクの気密については、Ｏ（オー）リングによって保持している。
【０００４】
又、特許文献２では、毛髪用着色料を収容する蓋つき容器において、容器本体を覆う蓋体の内側に結露により付着した液体のたれ落ちを抑制するための抑制部が形成されたものが開示されている。前記容器本体は中綿式であり、非円形キャップを用いている。
【０００５】
又、特許文献３では、塗布液の含侵された塗布体を収容する収容部を設けた頭髪用塗布具において、前記収容部に非円形の蓋体を被せた染毛料容器が開示されている。
【先行技術文献】
【特許文献】
【０００６】
【特許文献１】特開２０１７−１０４４８２号公報
【特許文献２】特開２０１３−３５５７９号公報
【特許文献３】特開２００８−２５３４２４号公報
【発明の概要】
【発明が解決しようとする課題】
【０００７】
しかしながら、前述の従来技術では、塗布液が揮発しやすいものの場合に、蓋体の気密を保持しかつ内圧上昇による蓋体の外れを有効に防止する技術が提案されていない。
【０００８】
本発明は、斯かる実情に鑑み、蓋体の気密性を確保しかつ内圧上昇による蓋体の外れを確実に防止できる染毛料容器を提供しようとするものである。
【課題を解決するための手段】
【０００９】
本発明は、染毛料を収容する本体と、染毛料を塗布するための塗布体と、前記塗布体を覆うように前記本体に嵌合するキャップを有する染毛料容器において、本体に突起を設け、キャップには前記突起の上端面を覆う爪部と、前記爪部の下端に内方に押圧することで前記爪部を外方に開放可能な操作部とを設けたことを特徴とする染毛料容器である。
【００１０】
本発明において、爪部は非円形型のキャップ長辺側の両端に形成され、前記操作部の両端に溝が形成されていることが好適である。
【００１１】
本発明において、キャップ嵌合力Ａ（Ｎ）は取り外しに必要な着脱力Ｂ（Ｎ）に対し、Ａ＞５Ｂを満たすことが好適である。
【００１２】
本発明において、低級アルコール１５〜８０質量％と水５質量％以上とを少なくとも含み、ｐＨを２〜５、粘度が１００ｍＰａ・ｓ未満に調整してなる染毛料が中綿に含浸していることが好適である。
【発明の効果】
【００１３】
本発明の染毛料容器によれば、本体に突起を設け、キャップには前記突起の上端面を覆う爪部と、前記爪部の下端に内方に押圧することで前記爪部を外方に開放可能な操作部とを設けたので、キャップの取り付けには突起の上端面を爪部で覆うことによって爪部を係止できる構成であることから、キャップの内圧が高まってもキャップが外れにくく、外す際には、操作部の操作によって爪部を外方に開放して容易に外すことができるという優れた効果を奏し得る。
【図面の簡単な説明】
【００１４】
【図１】本発明の第１実施形態に係る染毛料容器を示す前方（ハンドル側でない方）からの斜視図である。
【図２】図１の染毛料容器を示す後方（ハンドル側）からの斜視図である。
【図３】図１の染毛料容器の全体説明図であって、（ａ）が上面図、（ｂ）が側面図、（ｃ）が（a）のＣ−Ｃ線に沿う全体断面図である。
【図４】図１の染毛料容器のキャップが固定された状態の説明図であって、（ａ）が全体断面図、（ｂ）がＢ部の詳細、（ｃ）がＣ部の詳細、（ｄ）が後方（ハンドル側）からの視図である。
【図５】図１の染毛料容器のキャップを外した状態の前方からの斜視図である。
【図６】図１の染毛料容器において下方部の櫛部側からの視図である。
【図７】図１の染毛料容器の本体の部品図であって、（ａ）が前方からの斜視図、（ｂ）が（ｃ）のＢ−Ｂ線に沿う縦断面図、（ｃ）が上方からの視図、（ｄ）が側方（長辺側）からの視図、（ｅ）が下方からの視図、（ｆ）が側方（短辺側）からの視図である。
【図８】図１の染毛料容器のキャップの部品図であって、（ａ）が上方からの斜視図、（ｂ）が下方からの斜視図、（ｃ）が上方からの視図、（ｄ）が側方（長辺側）からの視図、（ｅ）が（ｃ）のＥ−Ｅ線に沿う断面図、（ｆ）が下方からの視図、（ｇ）が側方（短辺側）からの視図である。
【図９】図１の染毛料容器においてキャップを外そうとする状態の説明図であって、（ａ）が全体断面図、（ｂ）がＢ部の詳細、（ｃ）がＣ部の詳細、（ｄ）が後方（ハンドル側）からの視図である。
【図１０】図１の染毛料容器において、櫛部、Ｏ（オー）リング、塗布体、中綿、及び本体の分解説明図である。
【図１１】本発明の第２実施形態に係る染毛料容器を示す前方からの斜視図である。
【図１２】図１１の染毛料容器のキャップを外した状態を示す後方からの斜視図である。
【図１３】図１１の染毛料容器の全体説明図であって、（ａ）が（ｂ）のＡ−Ａ線に沿う全体断面図、（ｂ）が平面図、（ｃ）が正面図、（ｄ）が側面図、である。
【図１４】図１１の染毛料容器の全体説明図であって、図１３の（ａ）に即した縦断面図である。
【図１５】図１１の染毛料容器のキャップを外した状態の前方からの斜視図である。
【図１６】図１１の染毛料容器において下方部の櫛部側からの視図である。
【図１７】図１１の染毛料容器の内筒１０Ｚの部品図であって、（ａ）が前方からの斜視図、（ｂ）が（ｃ）のＢ−Ｂ線に沿う縦断面図、（ｃ）が上方からの視図、（ｄ）が側方（長辺側）からの視図、（ｅ）が下方からの視図、（ｆ）が側方（短辺側）からの視図である。
【図１８】図１１の染毛料容器のキャップの部品図であって、（ａ）が上方からの斜視図、（ｂ）が（ｃ）のＢ−Ｂ線に沿う断面図、（ｃ）が上方からの視図、（ｄ）が側方（長辺側）からの視図、（ｅ）が側方（短辺側）からの視図である。
【図１９】図１１の染毛料容器においてキャップを外そうとする状態の説明図であって、（ａ）が全体断面図、（ｂ）がＢ部の詳細、（ｃ）がＣ部の詳細、（ｄ）が全体図である。
【図２０】図１１の染毛料容器において、櫛部、Ｏ（オー）リング、塗布体、中綿、及び本体の分解説明図であって、（ａ）が各部の側方（短辺側）からの視図、（ｂ）が各部の側方（長辺側）からの視図である。
【発明を実施するための形態】
【００１５】
以下、本発明の実施形態について添付図面を参照して説明する。
図１〜図１０は、本発明の第１実施形態に係る染毛料容器の説明図である。
【００１６】
図１〜図４がキャップの固定された状態の染毛料容器の説明図、図５〜図６がキャップの外れた状態の染毛料容器の説明図、図７が本体の部品図、図８がキャップの部品図、図９がキャップを外そうとした状態の説明図、図１０が前記染毛料容器において、櫛部、Ｏ（オー）リング、塗布体、中綿、及び本体の分解説明図である。
【００１７】
図１〜図３に示すように、第１実施形態に係る染毛料容器は、染毛料を収容する本体１０と、染毛料を塗布するための塗布体１２と、前記塗布体１２を覆うように前記本体１０に嵌合する非円形型（第１実施形態では、楕円形状）のキャップ１４を有する染毛料容器において、本体１０に突起１６を設けたものであって、キャップ１４には前記突起１６の上端面を覆う爪部１８と、前記爪部１８の下端に内方に押圧することで前記爪部１８を外方に開放可能な操作部２０とを設けた染毛料容器である。
【００１８】
詳細には、染毛料容器は、図１〜図３に示すように、本体１０には、ユーザが染毛料容器を手で持つためのハンドル２２が取り付けられている。
【００１９】
〔ハンドル２２〕
ハンドル２２はユーザが手で把持するためのハンドル本体２２ａと、本体１０の外側面に嵌り込ませて本体１０にハンドルを固定する、環状の取り付け部２２ｂとを有する。環状の取り付け部２２ｂは、本体１０の周囲に形成されたフランジ部１０ａの上方に開口した溝部１０ａ１内に嵌め込まれて固定と位置決めがされる。
【００２０】
〔本体１０〕
図３は、前記染毛料容器の全体説明図、図４は、前記染毛料容器のキャップ１４が固定された状態の説明図、図５は、前記染毛料容器のキャップを外した状態の前方からの斜視図、図６は、前記染毛料容器において下方部の櫛部側からの視図、図７は、前記染毛料容器の本体の部品図である。
【００２１】
なお、図１０は前記染毛料容器において、本体１０に設置する各部構造の分解図を示し、櫛部２４、Ｏ（オー）リング２６、塗布体１２、中綿２８、及び本体１０の分解説明図である。
【００２２】
本体１０内には、図３、図４に示すように、本体櫛部２４、Ｏ（オー）リング２６、塗布体１２、中綿２８が収容されている。
【００２３】
本体１０は、図７の部品図に示すように、楕円形状のカップ状を呈し、周囲を取り巻いてフランジ部１０ａが形成され、内面にリブ１０ｂが形成される。フランジ部１０ａは長辺方向の両端部の外面に突起１６が形成されている。突起１６は上面が平坦に形成されている。
【００２４】
図４に示すように、本体１０において、フランジ部１０ａの両端部が壁状に立設していて、その壁状の内側が溝部１０ａ１になっている。そしてフランジ部１０ａよりも下方に位置する本体１０の下端部には、Ｏリング２６装着用の段部１０ｃが形成されており、Ｏリング２６は、段部１０ｃと櫛部２４外周のフランジ２４ｄとの間の溝状の空間に嵌り込んで固定されている。このように本体１０に固定されたОリング２６がキャップ１４の開口部１４ａの内周面と密着する構造となっている。
【００２５】
〔塗布体１２、中綿２８〕
塗布体１２は、多孔質塗布体であり、毛細管力の異なる中綿２８と接して本体１０内に収容されている。塗布体の毛細管力は中綿２８の毛細管力よりも高くなっている。中綿２８の材質の例としては、ＰＥ／ＰＰ（ポリプロピレン）芯にＰＥ（ポリエチレン）被覆）、繊維がスライバーであり、外皮がないものとする。中綿２８は断面が６０×３０（ｍｍ）、長さ４０（ｍｍ）であり、液保持量が２０〜５０（ｍｌ（ミリリットル））である。なお、本実施形態とは異なる繊維や、外皮がある形態としてもよい。
【００２６】
〔キャップ１４〕
図８は、前記染毛料容器のキャップ１４の部品図である。
【００２７】
図３、図８に示すように、キャップ１４は、本体１０に嵌着するために、楕円形の開口部１４ａを有したカップ状を呈している。キャップ１４の開口部１４ａ周囲であって、楕円形状の長辺側両端部には、本体１０の突起１６の上端面を覆って係止するための爪部１８を有している。
【００２８】
〔爪部１８、操作部２０〕
前記操作部２０は、爪部１８と同様にキャップ開口部１４ａの長辺側の両端に形成され、爪部１８はキャップ長辺側の両端に形成され、前記操作部の両端に溝が形成されている。前記操作部２０は幅が爪部１８と同様の板状を呈しており、操作部２０の幅方向の両端に溝３０が形成されて、操作部２０の両端は他の部分から切り放されてキャップ１４に対して弾性変形がしやすく形成されている。
【００２９】
突起１６の係止箇所は左右方向に延びて形成されその突起１６の長さに対応する長さで係止可能に係止片１８ａが爪部１８に形成される。この爪部１８の係止片１８ａの両端から下方に脚片１８ｂがレバー状に延びており、爪部１８が全体的にＵ字形状を呈している。爪部１８の脚片１８ｂの下端が操作部２０に一体化している。
【００３０】
図１〜図３に示すように、キャップ１４の周面より爪部１８が突出し、操作部２０が内側に位置している。
【００３１】
前記のように、操作部２０を内方に押圧することで前記爪部１８を外方に開放可能な操作部２０が設けたものである。
【００３２】
又、本体の周囲にはキャップ１４を本体１０に嵌め込んだ際に、気密を確保するためのＯリング２６を本体の段部１０ｃと櫛部２４周辺部のフランジ２４ｄとの間に嵌め込むようにそのフランジ２４ｄが形成されている（図４〜図６参照）。
【００３３】
〔キャップ１４の係止構造〕
図３、図４に示すように、爪部１８がキャップ１４において長辺側の両端部の二箇所で突起１６に引っ掛けてキャップ１４を係止する構造である。
【００３４】
前記爪部１８の位置よりも操作部２０の位置がキャップ１４の内側に位置して構造となっている。
【００３５】
実施形態においては、爪部１８はキャップ１４長辺側の両端に形成され、前記操作部２０の両端に溝３０が形成されているので、操作部２０の上端を支点にして容易に揺動するようになっている。
【００３６】
キャップ１４の嵌合力Ａ（Ｎ）は、取り外しに必要な着脱力Ｂ（Ｎ）に対し、Ａ＞５Ｂ、より好ましくはＡ＞１０Ｂを満たすことが好適である。
【００３７】
図４に示すように、キャップ１４は、本体１０から外す前に爪部１８の係止片１８ａが突起１６に係止している。二点鎖線で示すように、爪部１８の係止片１８ａが突起１６に係止している作用点（符号Ｗ１）の位置が、支点（符号Ｗ２で示す）操作部２０よりも外側にずれている。このように、作用点Ｗ１と支点Ｗ２との位置の位相をずらしており、内圧が上昇したときに爪部１８が内側方向に応力Ｆ１が掛かり、閉じる（しがみつく）構造となっている。
【００３８】
このため、図４に示すように、爪部１８が突起１６に係止している際に、キャップ１４が内圧上昇によって本体１０から離れようとすると操作部２０によって内側にひかれて爪部１８を強固に係止する。図４に示す爪部１８の支点と作用点との位相をずらし、矢印Ｆ方向に内圧上昇時に爪部が閉じる（しがみつく）構造となっている。このため、２００（Ｎ（ニュートン））を超える保持力を実現することができる。したがって内圧上昇によるキャップ外れを防止できる。
【００３９】
一方、キャップ１４を本体から離脱させる際には、図９に示すように、両側の二箇所の操作部２０をユーザが内側方向（キャップの中央方向：図９中矢印Ｐ方向）に押し込むことによって、爪部１８が突起１６（の係止）から外れて、キャップ１４を本体１０から下方向きに外すことができる。
【００４０】
係合の際にはＦ方向の力がかかり、離脱する際にはＰ方向の力で離脱できるので、保持と異なるベクトル操作で離脱する構造となっている。
【００４１】
具体的には、保持力が２００（Ｎ）と強固に保持できると共に、押し込み力１０〜２０（Ｎ）程度の力（握る力）でキャップを離脱することができる。
【００４２】
以上から実施形態の染毛料容器は「高い内圧でも外れない」ことと「開けやすさ」の両立を実現できている。
【００４３】
〔櫛部２４〕
図５は、第１実施形態に係る染毛料容器のキャップを外した状態の前方からの斜視図、図６は、前記染毛料容器において下方部の櫛部側からの視図である。
【００４４】
図５〜図６に示すように、染毛料容器において、キャップ１４を外した状態で本体１０の下方から櫛部２４が嵌め込まれる。櫛部２４は、中央に塗布体１２を装着する装着孔２４ａが形成されていて塗布体１２の先端部が装着孔２４ａから露出している。装着孔２４ａの周囲には、塗布体１２を覆うように棒状の櫛体２４ｂが配列されている。又、塗布体１２の保持強度を確保するため、２本のアーチ部２４ｃを形成している。櫛部２４周辺部はОリングを嵌め込むためのフランジ２４ｄが形成されている（図４〜図６参照）。
【００４５】
塗布体１２は先端が平坦になっており、表面＝塗布有効面積とするため山切りではなく平坦にしている。又、櫛体２４ｂには、長さ方向に配列している第１の櫛体２４ｂ１は、櫛体２４ｂ同士の間隔（ピッチ）は髪の梳き感の向上を図れるもの設定している。又、長さ方向の両端部に配列している第２の櫛体２４ｂ２は、ピッチを狭くしており、細かいところを塗布できるように設置している。又、櫛体２４が配列された一体成型された基部周辺は、周面がやや斜面になって段部２４ｅになっており、段部２４ｅによって櫛体２４を突出させて髪の毛の狙いたい部分の狙いやすくした構造となっている。
【００４６】
以下に、第１実施形態に使用する中綿２８に含浸している染毛料を詳しく説明する。
【００４７】
本実施形態の染毛料は、酸性染料の少なくとも１種０．０１〜３質量％と、被膜形成樹脂０．５〜６質量％と、低級アルコール１５〜８０質量％と水５質量％以上とを少なくとも含み、ｐＨを２〜５、粘度が１００ｍＰａ・ｓ未満に調整してなる染毛料である。
【００４８】
本実施形態に用いる酸性染料としては、一般的に化粧品で用いられている法定色素中の酸性染料のうち、少なくとも１種を用いることができる。
【００４９】
酸性染料の具体例としては、赤色２号、赤色３号、赤色１０２号、赤色１０４号、赤色１０５号、赤色 １０６号、黄色４号、黄色５号、緑色３号、青色１号、青色２号、赤色２０１号、赤色２０６号、赤色２２７号、赤色２３０号、赤色２３１号、赤色２３２号、橙色２０５号、橙色２０７号、黄色２０２号、黄色２０３号、緑色２０１号、緑色２０４号、緑色２０５号、青色２０２号、青色２０３号、青色２０５号、褐色 ２０１号、褐色２０１号、赤色４０１号、赤色５０２号、赤色５０３号、赤色５０４号、赤色５０６号、橙色４０３号、黄色４０２号、黄色４０３号の（１）、 黄色４０６号、黄色４０７号、緑色４０１号、緑色４０２号、紫色４０１号、黒色４０１号などの少なくとも１種（各単独又は２種以上の混合物、以下、同様）が挙げられる。
【００５０】
これらの酸性染料の含有量は、染毛料全量に対して、０．０１〜３質量％（以下、単に「％」という）、好ましくは、０．４〜１．５％が望ましい。
【００５１】
この酸性染料の含有量が０．０１％未満の場合、染毛効果が十分に得られず、一方、３％を超えると、水及び低級アルコールの混合溶媒中への溶解度の影響で、系が不安定になりなりやすく、又、皮膚等への汚染が生じやすくなるため、好ましくない。
【００５２】
本実施形態に用いる被膜形成樹脂は、形成される被膜が耐水性を有しているものであれば特に限定されず、例えば、ノニオン性モノマー単位及び／又はアニオン性モノマー単位からなるポリマーなどが挙げられる。
【００５３】
ノニオン性モノマーとしては、例えば、スチレン系の芳香族炭化水素、メタクリル酸アルキル系エステル等が挙げられるが、これに限定されるものではない。アニオン系モノマーとしては、例えば、メタクリル酸、アクリル酸、マレイン酸等が挙げられるが、これらに限定されるものではない。
【００５４】
又、耐水性や風合いを向上させるために、ポリシロキサン単位（例えば、ポリジメチルシロキサン）とのブロック共重合体であっても良い。この被膜形成樹脂は、二次付着性、耐水性を向上させるために配合するものである。
【００５５】
好ましくは、ポリジメチルシロキサンとメタクリル酸及び／又はメタクリル酸と炭素数６以下の脂肪族アルコールとのエステルとの共重合体などがアルコール可溶性のシリコーン系樹脂などが挙げられる。
【００５６】
これらの被膜形成樹脂の含有量は、染毛料全量に対して、０．５〜１０％であり、好ましくは、１〜３％であることが望ましい。
【００５７】
この被膜形成樹脂の含有量が０．５％未満の場合は、耐水性が不十分であり、好ましくなく、一方、被膜形成樹脂の含有量が１０％を超えると、水及び低級アルコールの混合溶媒中へ溶解できなかったり、毛髪塗布後の風合いが悪化したりするため、好ましくない。
【００５８】
本実施形態に用いる低級アルコールとしては、例えば、エタノール、プロパノール、ブタノール、イソプロパノール、イソブタノール等の揮発性を有する低級アルコールの１種又は２種以上を用いることができるが、安全性、乾燥性、匂い等の点からエタノールが望ましい。
【００５９】
これらの低級アルコールの含有量は、染毛料全量に対して、１５〜８０％であり、好ましくは３０〜５０％である。
【００６０】
この低級アルコールの含有量が１５％未満の場合、染毛料の乾燥性が低下するため、好ましくなく、一方、８０％を超える場合は、累積染毛効果が低下するため、好ましくない。
【００６１】
本実施形態における染毛料の残部は、水（精製水、蒸留水、イオン交換水、純水、水道水等）で調整される。
【００６２】
この水の含有量としては、染毛料全量に対して５％以上とすることが必要であり、更に好ましくは、３０〜５０％である。
【００６３】
この水の含有量が５％未満の場合、染料の溶解性が低下し、染毛効果も低下してしまうため好ましくなく、一方、５０％を超えると、含有する耐水性被膜形成樹脂の安定性が若干低下することがあり、乾燥性が若干低下してしまうことがある。
【００６４】
本実施形態の染毛料においては、酸性染料による染毛性を向上させるため、後述するように、染毛料のｐＨは２〜５と低く設計している。
【００６５】
染毛料の粘度は１００ｍＰａ・ｓ未満、好ましくは５０ｍＰａ・ｓ未満、更に好ましくは１〜１０ｍＰａ・ｓが望ましい。１００ｍＰａ・ｓ以上では毛髪へ多量に付着し、べたついた状態が持続されてしまい、又乾燥性も低下する為、使用直後に洗髪を行わず、そのままの状態を維持するのに適当で無い。なお、前記の粘度範囲は、コーンプレート型粘度計（東機産業社製、ＥＭＤ型粘度計）を用いて温度２５℃で測定した値である。
【００６６】
本実施形態の染毛料には、更なる染毛効果を発揮せしめる点から、染毛助剤を含有することが好ましい。
【００６７】
用いることができる染毛助剤としては、例えば、ベンジルアルコール、フェニルエチルアルコール、フェノシキエタノール、炭酸プロピレン、プロピレングリコール、エトキシジグリコール、Ｎ−メチルピロリドン、Ｎ−メチル−２ピロリドン等の少なくとも１種が挙げられる。
【００６８】
これらの染毛助剤の含有量は、染毛料全量に対して、好ましくは、２〜２０％であり、好ましくは、５〜１５％が好適である。
【００６９】
この染毛助剤の含有量が２％未満の場合は、更なる染毛効果が不十分であり、一方、２０％を超える場合は、染毛料塗布後の乾燥性が低下し、衣服等への色移りの危険性が増すため、好ましくない。
【００７０】
本実施形態の染毛料は、着色性向上、皮膚刺激防止、皮膚染着トラブル防止のため、ｐＨを２〜５に調整することが必要であり、好ましくは、ｐＨを２．５〜４．０に調整することが望ましい。
【００７１】
この染毛料のｐＨが２未満の場合、皮膚染着性が増大するので好ましくなく、一方、ｐＨが５を超える場合は、染毛性が低下し、好ましくない。
【００７２】
本実施形態において、ｐＨの調整は、蟻酸、酢酸、乳酸、酒石酸、リンゴ酸、クエン酸、グリコール酸等の有機酸や無機酸又はその塩、場合によってはトリエタノールアミンなどのアルカリを用いて行うことができる。
【００７３】
本実施形態の染毛料は、上記酸性染料の少なくとも１種、被膜形成樹脂、低級アルコール、水などの他に、本実施形態の効果を損なわない範囲で、その他の原材料、例えば、各種界面活性剤、防腐剤、紫外線吸収剤、酸化防止剤、還元防止剤、キレート剤、油性成分、香料、動植物抽出物などを適宜含有することができる。
【００７４】
本実施形態の染毛料は、常法により調製することができ、上記酸性染料の少なくとも１種、被膜形成樹脂、低級アルコール、水などの各成分を上記各含有量の範囲で配合し均一に攪拌・混合することにより、製造することができる。
【００７５】
例えば、被膜形成樹脂、低級アルコールなどのアルコール相と、酸性染料と水などの水相とを各々を汎用のディスパーなどにて均一になるまで攪拌後、アルコール相と水相を混合した後、更にｐＨ調整剤などを加え、ディスパーなどにて均一になるまで攪拌後、染毛料を調製することができる。
【００７６】
このように構成される本実施形態の染毛料を使用に供するにあたっては、汎用の毛髪用塗布具を用いることができ、用いる染毛料容器の形状、構造等は特に限定されるものでなく、例えば、ノック式のバルブ装置を備えた塗布具、マスカラタイプの塗布具、チューブタイプの塗布具、ピストン押圧機構を備えた塗布具などが挙げられる。
【００７７】
このように構成される本実施形態の染毛料は、酸性染料の少なくとも１種０．０１〜３％と、被膜形成樹脂０．５〜１０％と、低級アルコール１５〜８０％と水５％以上とを少なくとも含み、ｐＨを２〜５、粘度が１００ｍＰａ・ｓ未満に調整してなる染毛料とすることで、使用直後の洗髪が不要であり、塗布直後の毛髪染毛性に優れるだけでなく、使用する回数を重ねる毎に徐々に毛髪を染色していく累積染毛性に優れ、一時着色時の色相と累積染毛時の色相とのズレもなく、耐水性、使用性に優れた染毛料が得られることとなる。
【００７８】
実施形態に係る染毛料容器によれば、本体１０に突起１６を設け、キャップ１４には前記突起１６の上端面を覆う爪部１８と、前記爪部１８の下端に内方に押圧することで前記爪部１８を外方に開放可能な操作部２０とを設けたので、キャップ１４の取り付けには突起１６の上端面を爪部１８で覆うことによって爪部１８を係止できるのでキャップの内圧が高まってもキャップが外れにくく、外す際には、操作部２０の操作によって爪部１８を外方に開放して容易に外すことができるという優れた効果を奏し得る。
【００７９】
具体的には、本発明の染毛料容器として、アルコール系の染毛料を使用する場合に、キャップ１４の断面積が２４００ｍｍ２で気温１０℃→５０℃に上昇したときに必要な保持力が約８０（Ｎ）であった。実施形態では約２００（Ｎ）のキャップ１４の保持力を実現し十分な保持力を発揮できた。また、キャップ１４を外す際に必要な押圧力Ｐは１５（Ｎ）であった。
なお、比較として、水系の染毛料を使用し、キャップの断面積が２４０ｍｍ２で気温１０℃→５０℃に上昇したときに必要な保持力が約４（Ｎ）であった。キャップを単に嵌合した形態とした場合は、キャップの保持力は２〜５（Ｎ）であることが多く、キャップ外れの恐れがあり、嵌合のみでは、不充分なことが理解される。このようなキャップ外れに対応するために嵌合力を強くしても今度は外しにくいという問題が生じていた。したがって、「高内圧でも外れない」と「開けやすさ」の両立が求められることが理解される。本実施形態でこのような両立を図れていることが理解される。
【００８０】
なお、本発明は、上記の実施形態に限定されず本発明の範囲内で変形実施可能である。
【００８１】
図１１〜図２０は、本発明の第２実施形態に係る染毛料容器の説明図である。各図面については、第１と共通の要素を同じ符号として、示している。
【００８２】
第２の実施形態が、第１の実施形態と異なる箇所は、ハンドル２２を無くし、携帯性を向上させている。また、本体１０は外筒１０Ｘ、中筒１０Ｙ、内筒１０Ｚで構成され、内筒１０Ｚに突起１６を形成し、キャップ１４と嵌合する構造となっている。キャップ１４の操作部２０から爪部１８を略直線状とすることにより、取り外し性を向上させている。
【００８３】
図１１は、染毛料容器において、本体１０にキャップ１４をした状態を示す。図１２は、染毛料容器において、本体１０からキャップ１４を外す状態を示す。また、図１３、図１４は、本体１０にキャップ１４をした状態の全体説明図を示す、図１５、図１６は本体１０からキャップ１４を外した状態をそれぞれ示す。図１７は本体１０の内筒１０Ｚを示し、図１８はキャップ１４の本体を示す。図１９は染毛料容器を外す場合の操作状態を説明する。
【００８４】
図１１に示すように、染毛料容器は、本体１０にキャップ１４によって櫛体２４を覆う状態では、全体的に概略的に長円形状又は楕円形状の断面の柱状を呈している。
操作部２０はキャップ１４の長辺側の両端部に設けられ、使用者が操作部２０を押圧することによって爪部１８が突起１６から外れて、キャップ１４が外れる構造である。
【００８５】
図１１、図１８に示すように、爪部１８と操作部２０は、キャップ１４の外壁部に、梁状の支点３０ｃを残してＵ字形状の溝３０ｂ・３０ａが上・下に切り欠かれた片状部に形成される。下側の溝３０ａで囲まれた箇所は、使用者が指先で押すための操作部２０であり、操作部２０の表面に凹凸が形成される。
【００８６】
爪部１８において、上側のＵ字形状の溝３０ｂで囲まれた作動部分１８ｃは上端部に係止部１８ａの孔が形成された、第１実施形態の脚片に相当する部分になっている。
【００８７】
染毛料容器には、図１３、図１４に示すように、本体１０の内筒１０Ｚの長辺の両端部に突起１６、１６が突出して形成される。
【００８８】
図１３、図１４に示すように、染毛料容器の不使用時には、この突起１６，１６に爪部１８の矩形孔で形成された係止部１８ａ、１８ａが係止して、キャップ１４を本体１０に固定している。図１４に、二点鎖線Ｇで示すように、キャップ１４の外周面は爪部１８の作動部分１８ｃ及び操作部２０が本体１０の外面に段差なく沿って凹凸の少ない形状に形成される。
【００８９】
染毛料の使用時に本体１０からキャップ１４を外す際には、係止部１８ａが突起１６に係止状態であったのを、図１９に示すように、操作部２０を内側に指先等にてＦ方向に押圧する。図１９には操作前の状態を二点鎖線Ｈで示している。
【００９０】
押圧によって、操作部２０がキャップ１４の内側に押し込まれる。この押圧によって作動部分１８ｃが支点３０ｃを中心にしてキャップ１４の外側に揺動して、爪部１８の係止部１８ａが突起１６から外れる。このため、係止部１８ａの突起１６への係止状態が開放し、本体１０からキャップ１４を取り外すことができる。
なお、係止部１８ａの突起１６への係止は、温度変化等による内圧上昇に十分に耐える係止力を有するようになっている。
【００９１】
図１２は操作部２０が押し込まれて、爪部１８の係止部１８ａが突起１６から外れてキャップ１４が本体から離れた状態を示している。
【００９２】
なお、第２実施形態に係る染毛料容器においては、図１５に示すように、櫛部２４は、染毛料容器の軸方向に複数の櫛体２４ｂが直線状に延び、櫛体２４ｂの列の間の装着孔２４ａから塗布体１２が露出する構造である。櫛体２４ｂの周囲に段部２４ｅが形成される。
また、図１６に示すように、櫛体２４ｂの列の間にアーチ部２４ｃが形成されて補強されている。櫛体２４ｂの周囲の段部２４ｅの周囲にОリング２６も介装している。
【００９３】
ここで、図１４に示すように、本体１０の外筒１０Ｘ及び中筒１０Ｙが概略下開きの椀状であり、外筒１０Ｘが中筒１０Ｙに外面から被っている状態に嵌着等で組み合わされ固定される。中筒１０Ｙの下部の周囲にフランジ部１０ｃが突出して形成され、外筒１０Ｘの下端がフランジ部１０ｃに当接して中筒１０Ｙと位置決めしている。
中筒１０Ｙの下部には、外面から内筒１０Ｚが嵌着して組み合わせて、互いに凹凸嵌合で固定される。
【００９４】
図１７に示すように、内筒１０Ｚは、概略長円形上又は楕円形状の環状に形成され、中央の開口を囲んで、下部に、下向きに櫛部２４の上部縁を嵌着させる嵌着部１０ｄが形成される。この嵌着部１０ｄを囲んでＯリング２６（図１４参照）を外装する段部１０ｃが形成されており、段部１０ｃと櫛体２４の段部２４ｅとの間にОリング２６を挟み付けて介装する。
内筒１０Ｚの外周部において、長辺側の両端に突起１６が形成される。なお、内部には中綿２８を支持するための支持リブ３２が複数個所、上方に向けて突出して形成される。
【００９５】
キャップ１４は、図１４に示すように、内部に櫛体２４を覆うための下端が閉鎖された椀状の内キャップ３４がホルダー部３６内に嵌着して固定される。本体１０にキャップ１４を装着した際に、内キャップ３４の上部内周面が内筒１０Ｚの段部１０ｃと櫛部２４の段部２４で挟まれたОリング２６に接して、櫛部２４周囲の気密を保ち、塗布体１２の乾燥を防止するものである。
キャップ１４は、図１８に示すように、内部に嵌着用の凹凸のあるホルダー部３６がキャップ１４の内周面に沿いかつ間隔を置いて環状に立設している。間隔は、操作部２０を操作した際の爪部１８の揺動に影響を与えない物に形成される。
【００９６】
図２０に示すように、染毛料容器の組み立て位置は、キャップ１４から本体１０にかけて、キャップ１４、内キャップ３４、櫛部２４、Оリング２６、塗布体１２、内筒１０Ｚ、中綿２８、中筒１０Ｙ、外筒１０Ｘの順になる。
【００９７】
第２実施形態の染毛料容器においては、図１９に示すように、操作部２０を指でＦ方向に押し込むことによって断面直線状に形成された爪部１８の外周がシーソーのような動きをして係止部１８ａが外れることで、キャップ１４を本体１０から外すことができる。
【００９８】
また、キャップ１４と本体１０との気密はОリング２６でシールしており、爪部１８の開けやすさと係止部１８ａによる内圧の上昇に耐圧する機能とを両立させている。
Оリング２６でキャップ１４との間をシールし、内筒１０Ｚの突起１６にキャップ１４の係止部１８ａが係止しているので、外筒１０Ｘがキャップ１４の嵌合機能に無影響の部材となるため、デザイン変更を容易にできる。
【００９９】
なお、本発明は、上記の実施形態に限定されず本発明の範囲内で変形実施可能である。
【産業上の利用可能性】
【０１００】
本発明の染毛料容器は、毛髪用の他、動物用の染毛料としても利用することができる。
【符号の説明】
【０１０１】
１０  本体
１０ａ  フランジ部
１０ａ１  溝部
１０ｂ  リブ
１０ｃ  段部
１２  塗布体
１４  キャップ
１４ａ  開口部
１６  突起
１８  爪部
１８ａ  係止片
１８ｂ  脚片
２０  操作部
２２  ハンドル
２４  櫛部
２４ｄ  フランジ
２６  Ｏリング
２８  中綿
３０  溝
【図１】
2020022747.tif 000003
【図２】
2020022747.tif 000004
【図３】
2020022747.tif 000005
【図４】
2020022747.tif 000006
【図５】
2020022747.tif 000007
【図６】
2020022747.tif 000008
【図７】
2020022747.tif 000009
【図８】
2020022747.tif 000010
【図９】
2020022747.tif 000011
【図１０】
2020022747.tif 000012
【図１１】
2020022747.tif 000013
【図１２】
2020022747.tif 000014
【図１３】
2020022747.tif 000015
【図１４】
2020022747.tif 000016
【図１５】
2020022747.tif 000017
【図１６】
2020022747.tif 000018
【図１７】
2020022747.tif 000019
【図１８】
2020022747.tif 000020
【図１９】
2020022747.tif 000021
【図２０】
2020022747.tif 000022